(57)【要約】【課題】手差しにより給紙を行う手差し給紙部から給紙された用紙への印刷の実行後に手差し給紙部に用紙が存在しているときに、該実行後の印刷を指示した操作者と異なる操作者からの実行指示に応じて、手差し給紙部から用紙を給紙してしまうことを抑制することが可能な画像形成装置及びプログラムを提供する。【解決手段】画像形成装置は、実行手段が第１の特定の実行指示に応じて第１の特定の印刷を実行した後に、第１の特定の実行指示を行った操作者と異なる操作者からの第２の特定の実行指示が受け付けられたとき、手差し給紙部に用紙が存在する場合、実行手段が第２の特定の実行指示に応じた第２の特定の印刷を実行する前に、異なる操作者に対して手差し給紙部から給紙してもよいかどうかを確認する確認手段を備える。【選択図】図２
2020146910.tif 000002
【特許請求の範囲】
【請求項１】
用紙を給紙する給紙先として手差しにより前記用紙を給紙する手差し給紙部が含まれるように指定された特定の実行指示が受け付けられたときに、前記手差し給紙部に前記用紙が存在する場合に、前記手差し給紙部から優先して前記用紙を給紙して印刷する特定の印刷を実行する実行手段と、
前記実行手段が第１の特定の実行指示に応じて第１の特定の印刷を実行した後に、前記第１の特定の実行指示を行った操作者と異なる操作者からの第２の特定の実行指示が受け付けられたとき、前記手差し給紙部に前記用紙が存在する場合、前記実行手段が前記第２の特定の実行指示に応じた第２の特定の印刷を実行する前に、前記異なる操作者に対して前記手差し給紙部から給紙してもよいかどうかを確認する確認手段と、
を備える、画像形成装置。
【請求項２】
前記確認手段は、前記第２の特定の実行指示により、印刷の対象の属性に応じて前記給紙先を選択するように指定されているとき、前記手差し給紙部から給紙してもよいかどうかを確認する、
請求項１に記載の画像形成装置。
【請求項３】
前記確認手段は、前記第２の特定の実行指示により、前記給紙先として前記手差し給紙部が指定されているとき、前記手差し給紙部から給紙してもよいかどうかを確認する、
請求項２に記載の画像形成装置。
【請求項４】
前記実行手段が前記給紙先として前記手差し給紙部以外の給紙部が指定された実行指示に応じた印刷の実行中に、前記異なる操作者からの前記特定の実行指示が受け付けられたとき、前記手差し給紙部に前記用紙が設置された場合、前記実行手段は、前記確認手段による確認を行わずに、前記特定の実行指示に応じた印刷を実行する、
請求項１から３のいずれか１項に記載の画像形成装置。
【請求項５】
前記実行手段が前記実行指示に応じた印刷の実行中に前記手差し給紙部に前記用紙が存在する場合において、前記異なる操作者からの前記特定の実行指示が受け付けられたとき、前記手差し給紙部に前記用紙が新たに設置された場合、前記実行手段は、前記確認手段による確認を行わずに、前記特定の実行指示に応じた印刷を実行する、
請求項４に記載の画像形成装置。
【請求項６】
コンピュータを、
用紙を給紙する給紙先として手差しにより前記用紙を給紙する手差し給紙部が含まれるように指定された特定の実行指示が受け付けられたときに、前記手差し給紙部に前記用紙が存在する場合に、前記手差し給紙部から優先して前記用紙を給紙して印刷する特定の印刷を実行する実行手段と、
前記実行手段が第１の特定の実行指示に応じて第１の特定の印刷を実行した後に、前記第１の特定の実行指示を行った操作者と異なる操作者からの第２の特定の実行指示が受け付けられたとき、前記手差し給紙部に前記用紙が存在する場合、前記実行手段が前記第２の特定の実行指示に応じた第２の特定の印刷を実行する前に、前記異なる操作者に対して前記手差し給紙部から給紙してもよいかどうかを確認する確認手段
として、機能させるためのプログラム。
【発明の詳細な説明】
【技術分野】
【０００１】
本発明は、画像形成装置及びプログラムに関する。
【背景技術】
【０００２】
近年、予め記憶しておいた印刷データに基づいて利用者からの指示に応じて印刷を実行する場合に、手差しによってセットされた記録媒体に画像を印刷するときの利用者の利便性を従来より向上することができる画像形成装置が提案されている（例えば、特許文献１参照。）。
【０００３】
特許文献１に記載された画像形成装置は、ＢＯＸに記憶されている印刷データに基づいた印刷の指示が受け付けられた場合、ＭＰトレイに記録媒体がセットされていることが手差し媒体センサによって検出されているときに、記録媒体をＭＰトレイからプリンタに強制的に供給させる動作であるＭＰトレイ固定処理を実行し、ＭＰトレイ固定処理を実行する場合に、印刷データに含まれている記録媒体の属性が属性設定手段によって設定されている記録媒体の属性に適合しないときであっても、印刷を続行する。
【先行技術文献】
【特許文献】
【０００４】
【特許文献１】特開２０１３−１２１６８０号公報
【発明の概要】
【発明が解決しようとする課題】
【０００５】
本発明の課題は、手差しにより給紙を行う手差し給紙部から給紙された用紙への印刷の実行後に手差し給紙部に用紙が存在しているときに、該実行後の印刷を指示した操作者と異なる操作者からの実行指示に応じて、手差し給紙部から用紙を給紙してしまうことを抑制することが可能な画像形成装置及びプログラムを提供することにある。
【課題を解決するための手段】
【０００６】
［１］用紙を給紙する給紙先として手差しにより前記用紙を給紙する手差し給紙部が含まれるように指定された特定の実行指示が受け付けられたときに、前記手差し給紙部に前記用紙が存在する場合に、前記手差し給紙部から優先して前記用紙を給紙して印刷する特定の印刷を実行する実行手段と、
前記実行手段が第１の特定の実行指示に応じて第１の特定の印刷を実行した後に、前記第１の特定の実行指示を行った操作者と異なる操作者からの第２の特定の実行指示が受け付けられたとき、前記手差し給紙部に前記用紙が存在する場合、前記実行手段が前記第２の特定の実行指示に応じた第２の特定の印刷を実行する前に、前記異なる操作者に対して前記手差し給紙部から給紙してもよいかどうかを確認する確認手段と、
を備える、画像形成装置。
［２］前記確認手段は、前記第２の特定の実行指示により、印刷の対象の属性に応じて前記給紙先を選択するように指定されているとき、前記手差し給紙部から給紙してもよいかどうかを確認する、
前記［１］に記載の画像形成装置。
［３］前記確認手段は、前記第２の特定の実行指示により、前記給紙先として前記手差し給紙部が指定されているとき、前記手差し給紙部から給紙してもよいかどうかを確認する、
前記［２］に記載の画像形成装置。
［４］前記実行手段が前記給紙先として前記手差し給紙部以外の給紙部が指定された実行指示に応じた印刷の実行中に、前記異なる操作者からの前記特定の実行指示が受け付けられたとき、前記手差し給紙部に前記用紙が設置された場合、前記実行手段は、前記確認手段による確認を行わずに、前記特定の実行指示に応じた印刷を実行する、
前記［１］から［３］のいずれか１つに記載の画像形成装置。
［５］前記実行手段が前記実行指示に応じた印刷の実行中に前記手差し給紙部に前記用紙が存在する場合において、前記異なる操作者からの前記特定の実行指示が受け付けられたとき、前記手差し給紙部に前記用紙が新たに設置された場合、前記実行手段は、前記確認手段による確認を行わずに、前記特定の実行指示に応じた印刷を実行する、
前記［４］に記載の画像形成装置。
［６］コンピュータを、
用紙を給紙する給紙先として手差しにより前記用紙を給紙する手差し給紙部が含まれるように指定された特定の実行指示が受け付けられたときに、前記手差し給紙部に前記用紙が存在する場合に、前記手差し給紙部から優先して前記用紙を給紙して印刷する特定の印刷を実行する実行手段と、
前記実行手段が第１の特定の実行指示に応じて第１の特定の印刷を実行した後に、前記第１の特定の実行指示を行った操作者と異なる操作者からの第２の特定の実行指示が受け付けられたとき、前記手差し給紙部に前記用紙が存在する場合、前記実行手段が前記第２の特定の実行指示に応じた第２の特定の印刷を実行する前に、前記異なる操作者に対して前記手差し給紙部から給紙してもよいかどうかを確認する確認手段
として、機能させるためのプログラム。
【発明の効果】
【０００７】
請求項１〜６に係る発明によれば、手差しにより給紙を行う手差し給紙部から給紙された用紙への印刷の実行後に手差し給紙部に用紙が存在しているときに、該実行後の印刷を指示した操作者と異なる操作者からの実行指示に応じて、手差し給紙部から用紙を給紙してしまうことを抑制することができる。
【図面の簡単な説明】
【０００８】
【図１】図１は、本実施の形態に係る画像形成装置の制御系の一例を示すブロック図である。
【図２】図２は、確認画面の一例を示す図である。
【図３】図３は、図１に示す画像形成装置のユーザ情報をリセットする動作の一例を示すフローチャートである。
【図４】図４は、図１に示す画像形成装置の印刷の動作の一例を示すフローチャートである。
【発明を実施するための形態】
【０００９】
以下、本発明の実施の形態について図面を参照して説明する。なお、各図中、実質的に同一の機能を有する構成要素については、同一の符号を付してその重複した説明を省略する。
【００１０】
［実施の形態］
図１は、本実施の形態に係る画像形成装置の制御系の一例を示すブロック図である。この画像形成装置１は、例えば、スキャン機能、プリンタ機能、コピー機能、ファクシミリ機能、電子メール機能等の複数の機能を有する複合機である。なお、複合機は、画像形成装置３の一例であり、画像形成装置１は、複合機に限定されるものではない。
【００１１】
この画像形成装置１は、各部を制御する制御部１０と、各種のデータを記憶する記憶部１１と、情報の入力及び表示を行う操作表示部１２と、原稿から原稿画像を読み取る画像読取部１４と、画像を印刷出力する画像出力部１５と、外部ファクシミリ装置２に対して公衆回線網６を介してファクシミリ送受信を行うファクシミリ通信部１６と、端末装置３との間でネットワーク５を介して通信するネットワーク通信部１７と、印刷用の用紙を給紙する給紙部１８と、印刷された用紙を排紙する排紙部１９と、を備える。
【００１２】
端末装置３は、例えば、パーソナルコンピュータ、タブレット型端末、多機能携帯電話機（スマートフォン）等の携帯情報端末を用いることができる。ネットワーク５は、例えば、ローカルエリアネットワーク（ＬＡＮ）、ワイドエリアネットワーク（ＷＡＮ）、インターネット、イントラネット等であり、有線でも無線でもよい。
【００１３】
制御部１０は、ＣＰＵ（Central Processing Unit）、インターフェース等から構成されている。ＣＰＵは、記憶部１１に記憶されたプログラム１１０に従って動作することにより、受付手段１００、認証手段１０１、確認手段１０２、取得手段１０３、比較手段１０４、検知手段１０５、実行手段１０６、更新手段１０７、表示制御手段１０８等として機能する。各手段１００〜１０８の詳細については後述する。
【００１４】
記憶部１１は、ＲＯＭ（Read Only Memory）、ＲＡＭ（Random Access Memory）、ハードディスク等から構成され、プログラム１１０や、ログイン情報１１１、実行履歴情報１１２、ジョブ情報１１３、画面情報１１４（図２参照。）等の各種データを記憶する。各情報１１１〜１１４の詳細については後述する。
【００１５】
操作表示部１２は、例えば、タッチパネルディスプレイであり、液晶ディスプレイ等のディスプレイにタッチパネルを重合配置した構成を有する。
【００１６】
画像読取部１４は、原稿から原稿画像を読み取るものであり、原稿台（不図示）上に設けられた自動原稿送り装置（不図示）と、スキャナ（不図示）とを備え、原稿台に配置された原稿、又は自動原稿送り装置により送られた原稿から原稿画像を光学的に読み取る。
【００１７】
画像出力部１５は、例えば、電子写真方式、インクジェット方式等によりカラー画像又は白黒画像を用紙、透明フィルム、メタリック紙等の記録媒体（以下、総称して単に「用紙」ともいう。）に印刷出力する。
【００１８】
ファクシミリ通信部１６は、Ｇ３、Ｇ４等のファクシミリプロトコルに従ってデータの変復調を行い、公衆回線網６を介してファクシミリ通信を行う。ネットワーク通信部１７は、ＮＩＣ（Network Interface Card）等によって実現され、ネットワーク５を介して端末装置３との間で信号を送受信する。
【００１９】
給紙部１８は、例えば、ユーザが手動で用紙を給紙するための給紙先（「手差しトレイ」ともいう。）１８１や、用紙のサイズや紙質等の属性情報に応じて分類された給紙トレイ１８２等を含む。給紙トレイ１８２は、複数設けてもよい。また、本実施の形態では、給紙部１８は、手差しトレイ１８１に用紙が存在しているか否かを検知する用紙検知センサ１８０をさらに備える。手差しトレイ１８１は、手差し給紙部の一例である。給紙トレイ１８２は、手差し給紙部以外の給紙部の一例である。排紙部１９は、排紙トレイ１９１を含んで構成される。
【００２０】
〔各情報１１１〜１１４〕
次に、記憶部１１に記憶されている各情報１１１〜１１４の詳細について説明する。ログイン情報１１１は、操作者（以下、「ユーザ」ともいう。）が当該画像形成装置１にログインするときに照合される認証情報である。ログイン情報１１１には、例えば、ユーザ名１１１ａとパスワード１１１ｂとが互いに関連付けられて記録されている。
【００２１】
実行履歴情報１１２は、処理（本実施例では、「処理」として特に記載のない限り印刷を例に挙げる。）の実行の履歴を記録した情報である。具体的には、実行履歴情報１１２は、印刷の実行を指示したユーザを識別する情報（以下、単に「ユーザ情報」ともいう。）を、印刷の実行を指示する実行指示（以下、「印刷ジョブ」又は単に「ジョブ」ともいう。）を識別する情報と関連付けて記録したものである。
【００２２】
ユーザ情報は、例えば、当該画像形成装置１にログインしているユーザの情報、すなわちログイン情報１１１や、ジョブを送信した端末装置３のＩＰアドレス等から取得してよい。
【００２３】
ジョブ情報１１３は、印刷ジョブに係る情報を記録したものである。ジョブ情報１１３には、印刷の実行に係る属性情報等が記録されたジョブチケット１１３Ａや、印刷の対象となる情報（以下、単に「印刷データ」ともいう。）が含まれる。ジョブチケット１１３Ａは、例えば、ジョブのヘッダ情報を構成する。
【００２４】
ジョブチケット１１３Ａには、例えば、以下の情報が含まれる。
（Ａ）ジョブの属性を示す属性情報
（ａ１）印刷の対象となるファイルの名称を示すファイル名、
（ａ２）印刷の実行を指示したユーザを示す情報等
【００２５】
（Ｂ）処理を実行するための実行条件
（ｂ１）印刷を実行するための実行条件（設定項目（「オプション」ともいう。）及びその設定値（「パラメータ」ともいう。））、
・面付け、
・部数、
・カラーモード、
・両面／片面の指定等
（ｂ２）用紙の指定、
・用紙を給紙する給紙先を示す給紙先情報１１３ａ、
・印刷がされた用紙を排出する排出先情報等
（ｂ３）後処理の指示等
・穴あけ、
・綴じ、
・針止め、
・折り曲げ、
・製本等
【００２６】
印刷データ１１３Ｂは、画像形成装置１が解釈できるページ記述言語（ＰＤＬ：Page Description Language）で記述されたデータである。ＰＤＬには、例えば、ＰＤＦ（Portable Document Format)や、ＰｏｓｔＳｃｒｉｐｔ（登録商標）、ＰＣＬ（Printer Command Language）等の異なる形式で出力される複数の種類が含まれる。
【００２７】
画面情報１１４は、後述する表示制御手段１０８により操作表示部１２の表示面（不図示）に表示される各種の画面の情報である。図２は、確認画面の一例を示す図である。図２に示すように、確認画面８には、例えば、このまま印刷の実行を進めると期待する用紙で印刷が実行されない場合があること（換言すれば、意図しないサイズや紙質を有する用紙で印刷が実行される可能性があること）をユーザに通知する通知情報８０、当該ジョブを中止するか否かを選択する選択釦８１が含まれている。
【００２８】
選択釦８１は、例えば、「はい」との肯定語が記載された実行の中止を指示する釦８１１と、例えば、「いいえ」との否定語が記載された実行の継続を指示する釦８１２とを備える。確認画面８は、ポップアップの形式で表示するよう制御してもよい。
【００２９】
〔各手段１００〜１０８〕
次に、制御部１０を構成する各手段１００〜１０８の詳細について説明する。受付手段１００は、端末装置３から送信される印刷ジョブを受け付ける。認証手段１０１は、ユーザの認証要求（例えば、画像形成装置１にログインする操作や端末装置３からジョブを送信する操作等）に応じて、入力されたユーザ名及びパスワードを、記憶部１１に記憶されたログイン情報１１１と照合してユーザの認証を行う。
【００３０】
確認手段１０２は、実行中のジョブのユーザ情報を取得できるか否かを確認する。なお、実行中のジョブのユーザ情報を取得できない場合には、例えば、通信上の不具合や画像形成装置１の不具合等によりユーザ情報にアクセスできない場合が含まれる。
【００３１】
取得手段１０３は、実行中のジョブのユーザ情報が取得できる場合、ユーザ情報を取得する。また、取得手段１０３は、取得したユーザ情報をジョブと関連付けて記憶部１１の実行履歴情報１１２に記録する。
【００３２】
なお、実行中のジョブのユーザ情報が取得できない場合、実行履歴情報１１２には、現在実行中のジョブと関連付けて、例えば、「初期状態」と記録される。「初期状態」とは、予め定められた条件（すなわち、「初期条件」）が設定されている状態をいう。具体的には、「初期状態」では、後述するバイパスモードで手差しトレイ１８１から優先的に給紙された用紙に対して印刷が実行されるようになっている。
【００３３】
比較手段１０４は、現在実行中のジョブのユーザ情報（以下、「現在のユーザ情報」ともいう。）と、前回のジョブのユーザ情報（以下、「前回のユーザ情報」ともいう。）とを比較する。ここで、「前回」とは、現在実行中の１つ前のことをいい、「前回のジョブ」とは、現在実行中のジョブの１つ前に実行された実行済みのジョブ（実行が正常に完了しているか途中で中断しているかは問わない。）をいう。比較の際、取得手段１０３は、記憶部１１の実行履歴情報１１２を参照し、前回のユーザ情報を取得する。
【００３４】
検知手段１０５は、用紙検知センサ１８０を制御して、手差しトレイ１８１に、具体的には、手差しトレイ１８１の給紙口（不図示）に、用紙が存在するか否かを検知する。
【００３５】
実行手段１０６は、画像読取部１４、画像出力部１５、ファクシミリ通信部１６等を制御して各処理を実行する。更新手段１０７は、ジョブが実行されるごとに実行履歴情報１１２を書き換える。表示制御手段１０８は、操作表示部１２の表示面に画面情報１１４に記録された画面を表示するよう制御する。
【００３６】
（実施の形態の動作）
次に、画像形成装置１の動作の一例について説明する。以下の動作の説明では、以下の２つの条件がともに満たされる場合、手差しトレイから優先的に給紙を行う方式（以下、「バイパスモード」又は「Ｂｙｐａｓｓｍｏｄｅ」ともいう。）で印刷が実行されるように設定されている場合を前提として説明する。バイパスモードは、特定の印刷の一例である。
【００３７】
条件１：ジョブがトレイ自動選択を指定していること。
条件２：手差しトレイに用紙が存在すること。
なお、条件１の「トレイ自動選択」とは、実行中のジョブ情報１１３に含まれる給紙先情報１１３ａに「自動選択」が指定されていることをいう。ここで、「自動選択」とは、給紙先に特定の給紙トレイが指定されずに、用紙のサイズや紙質等の印刷データの属性に応じて給紙トレイを選択して給紙することをいう。これら条件１及び条件２を満たすように指定された印刷ジョブは、特定の実行指示の一例である。
【００３８】
上述の２つの条件が満たされている場合、実行手段１０６は、印刷の出力の大きさや原稿画像の大きさに関わらず、一律に手差しトレイ１８１から用紙を給紙して印刷を実行するようになっている。換言すれば、上記の２つの条件が満たされる場合、実行手段１０６は、印刷の出力の大きさや原稿画像の大きさが手差しトレイ１８１に設置されている紙と適合しないものである場合であっても、強制的に手差しトレイ１８１から給紙して印刷を実行するようになっている。印刷の出力の大きさや原稿画像の大きさは、印刷の対象の属性の一例である。
【００３９】
以下、画像形成装置１の動作を、（１）手差しトレイへの再給紙を検知する動作と、（２）画像形成装置１の印刷の動作と、に分けてそれぞれ説明する。
【００４０】
（１）ユーザ情報をリセットする動作
図３は、画像形成装置１のユーザ情報をリセットする動作の一例を示すフローチャートである。画像形成装置１（以下、「デバイス」ともいう。）の電源がＯＮになると（Ｓ１）、手差しトレイから用紙を給紙する印刷が実行中か否か（以下、単に、「手差しトレイから給紙中」ともいう。）が判断される。手差しトレイから給紙中でないとき（Ｓ２：Ｎｏ）、検知手段１０５は、手差しトレイに再給紙されたか否かを検知する（Ｓ３）。
【００４１】
手差しトレイが再給紙された場合（Ｓ３：Ｙｅｓ）、更新手段１０７は、ユーザ情報を初期状態に変更する（Ｓ４）。すなわち、更新手段１０７は、ユーザ情報をリセットする。このユーザ情報をリセットする動作は、デバイスの電源がＯＦＦとなるまで（Ｓ５）、すなわち、デバイスの電源がＯＮの場合に、一定の時間間隔で繰り返される。
【００４２】
給紙先情報１１３ａに手差しトレイ１８１以外の給紙トレイ１８２が指定されたジョブの実行中に、受付手段１００が異なるユーザから送信された自動トレイ選択ジョブ（後述するトレイ自動選択が指定されたジョブ）を受け付けた場合に、当該自動トレイ選択ジョブの印字の待機中に手差しトレイ１８１に新たに（すなわち、追加して）用紙をセットした場合、検知手段１０５は、手差しトレイ１８１に新たに（すなわち、追加して）用紙がセットされたことを検知するとともに、更新手段１０７は、ユーザ情報をリセットする。
【００４３】
なお、特に、手差しトレイ１８１に用紙が存在している状態において、給紙先情報１１３ａに手差しトレイ１８１以外の給紙トレイ１８２が指定されたジョブの実行中に、受付手段１００が異なるユーザから送信された自動トレイ選択ジョブを受け付けた場合に、当該自動トレイ選択ジョブの印字の待機中に手差しトレイ１８１に新たに用紙をセットした場合、検知手段１０５は、手差しトレイ１８１に新たに用紙がセットされたことを検知するとともに、更新手段１０７は、ユーザ情報をリセットするようにしてもよい。
【００４４】
（２）画像形成装置１の印刷の動作
【００４５】
図４は、画像形成装置１の印刷の動作の一例を示すフローチャートである。ジョブが「トレイ自動選択」を指定している場合（Ｓ１０：Ｙｅｓ）、検知手段１０５は、手差しトレイに用紙が存在するか否かの検知を行う（Ｓ１１）。手差しトレイに用紙が存在する場合（Ｓ１１：Ｙｅｓ）、確認手段１０２は、実行中のジョブのユーザ情報が取得できるか否か確認する（Ｓ１２）。
【００４６】
また、ジョブが「トレイ自動選択」を指定していない場合（Ｓ１０：Ｎｏ）であっても、ジョブが当該手差しトレイを給紙先として指定している場合、すなわち、ジョブ情報１１３に含まれる給紙先情報１１３ａに「手差しトレイ」が指定されている場合（Ｓ１３：Ｙｅｓ）も同様に、確認手段１０２は、実行中のジョブのユーザ情報が取得できるか否か確認する（Ｓ１２）。
【００４７】
実行中のジョブのユーザ情報が取得できる場合（Ｓ１２：Ｙｅｓ）、取得手段１０３は、実行中のジョブのユーザ情報（すなわち、現在のユーザ情報）を取得する。また、取得手段１０３は、記憶部１１の実行履歴情報１１２から前回のジョブのユーザ情報（すなわち、前回のユーザ情報）を取得する（Ｓ１４）。
【００４８】
比較手段１０４は、取得手段１０３により取得された前回のジョブのユーザ情報が初期状態か否かを確認する（Ｓ１５）。前回のジョブのユーザ情報が初期状態の場合（Ｓ１５：Ｙｅｓ）、更新手段１０７は、初期状態となっている前回のジョブのユーザ情報（以下、「記憶しているユーザ情報」ともいう。）を実行中のジョブのユーザ情報に更新する（Ｓ１６）。
【００４９】
前回のジョブのユーザ情報が初期状態でない場合（Ｓ１５：Ｎｏ）、比較手段１０４は、前回のジョブのユーザ情報と実行中のジョブのユーザ情報とを比較する（Ｓ１７）。
【００５０】
前回のジョブのユーザ情報と実行中のジョブのユーザ情報とが同一の場合（すなわち、前回のジョブを実行したユーザと同一のユーザからの指示によって現在実行中のジョブが実行されている場合）（Ｓ１７：Ｙｅｓ）、上述したように、更新手段１０７は、記憶しているユーザ情報を実行中のジョブのユーザ情報に更新する（Ｓ１６）。
【００５１】
前回のジョブのユーザ情報と実行中のジョブのユーザ情報とが同一でない場合（すなわち、前回のジョブを実行したユーザと異なるユーザからの指示によって現在実行中のジョブが実行されている場合）（Ｓ１７：Ｎｏ）、期待する用紙ではない可能性があることをユーザに通知する（Ｓ１８）。具体的には、表示制御手段１０８は、上述した確認画面８を操作表示部１２の表示面に表示するよう制御する。
【００５２】
確認画面８の操作により当該ジョブの実行を中止する指示がなされた場合（Ｓ１９：中止）、すなわち、表示された確認画面８内の「はい」との選択釦８１１が操作された場合、実行手段１０６は、当該ジョブに係る印刷の実行を中止する。
【００５３】
確認画面８の操作により当該ジョブの実行を継続する指示がなされた場合（Ｓ１９：継続）、すなわち、表示された確認画面８内の「いいえ」との選択釦８１２が操作された場合、上述したように、更新手段１０７は、記憶しているユーザ情報を実行中のジョブのユーザ情報に更新する（Ｓ１６）。
【００５４】
次に、実行手段１０６は、給紙部１８及び画像出力部１５を制御して、ジョブ情報１１３に応じた印刷の実行を行う。具体的には、実行手段１０６は、手差しトレイ１８１から給紙して印字を行う（Ｓ２０）。より具体的には、実行手段１０６は、手差しトレイ１８１を制御して用紙を給紙し、手差しトレイ１８１から給紙された用紙に印字を行う。
【００５５】
なお、ジョブが「トレイ自動選択」を指定している場合に（Ｓ１０：Ｙｅｓ）、手差しトレイ１８１に用紙が存在しない場合（Ｓ１１：Ｎｏ）、実行手段１０６は、自動トレイ選択で指定された給紙先から用紙を給紙して印字を行う（Ｓ２１）。
【００５６】
また、ジョブがトレイ自動選択を指定していない場合であって（Ｓ１０：Ｎｏ）、さらにジョブが手差しトレイ１８１の指定もしていない場合（Ｓ１３：Ｎｏ）、すなわち、当該ジョブが給紙先情報１１３ａに、手差しトレイ１８１以外の特定の給紙トレイ１８２を指定している場合、実行手段１０６は、指定されたトレイ（以下、「指定トレイ」ともいう。）から給紙して印字を行う（Ｓ２２）。
【００５７】
また、実行中のジョブのユーザ情報が取得できない場合（Ｓ１２：Ｎｏ）、実行手段１０６は、初期状態として指定された方法で印刷を行う。すなわち、実行手段１０６は、手差しトレイ１８１から給紙して印字を行う（Ｓ２０）。
【００５８】
なお、上述した、給紙先情報１１３ａに手差しトレイ１８１以外の給紙トレイ１８２が指定されたジョブの実行中に、受付手段１００が前記ジョブを指示したユーザと異なるユーザから送信された自動トレイ選択ジョブを受け付けた場合において、検知手段１０５が当該自動トレイ選択ジョブの印字の待機中に手差しトレイ１８１に新たに（すなわち、追加して）用紙がセットされたことを検知し、更新手段１０７がユーザ情報をリセットした場合は、例外的に、確認手段１０２は、上述の確認を行わなくてもよい。この場合、実行手段１０６は、手差しトレイ１８１から給紙して印字を行う。
【００５９】
以上、本発明の実施の形態を説明したが、本発明の実施の形態は上記実施の形態に限定されるものではなく、本発明の要旨を変更しない範囲内で種々の変形、実施が可能である。
【００６０】
制御部１０の各手段は、それぞれ一部又は全部を再構成可能回路（ＦＰＧＡ：Field Programmable Gate Array）、特定用途向け集積回路（ＡＳＩＣ：Application Specific Integrated Circuit）等のハードウエア回路によって構成してもよい。
【００６１】
また、本発明の要旨を変更しない範囲内で、上記実施の形態の構成要素の一部を省くことや変更することが可能である。また、本発明の要旨を変更しない範囲内で、上記実施の形態のフローにおいて、ステップの追加、削除、変更、入替え等が可能である。また、上記実施の形態で用いたプログラムをＣＤ−ＲＯＭ等のコンピュータで読み取り可能な記録媒体に記録して提供することができ、クラウドサーバ等の外部サーバに格納しておき、ネットワークを介して利用することもできる。
【符号の説明】
【００６２】
１…画像形成装置
１０…制御部
１００…受付手段
１０１…認証手段
１０２…確認手段
１０３…取得手段
１０４…比較手段
１０５…検知手段
１０６…実行手段
１０７…更新手段
１０８…表示制御手段
１１…記憶部
１１０…プログラム
１１１…ログイン情報
１１１ａ…ユーザ名
１１１ｂ…パスワード
１１２…実行履歴情報
１１３…ジョブ情報
１１３Ａ…ジョブチケット
１１３ａ…給紙先情報
１１３Ｂ…印刷データ
１１４…画面情報
１２…操作表示部
１４…画像読取部
１５…画像出力部
１６…ファクシミリ通信部
１７…ネットワーク通信部
１８…給紙部
１８０…用紙検知センサ
１８１…手差しトレイ
１８２…給紙トレイ
１９…排紙部
１９１…排紙トレイ
２…外部ファクシミリ装置
３…端末装置
５…ネットワーク
６…公衆回線網
８…確認画面
８０…通知情報
８１…選択釦
【図１】
2020146910.tif 000003
【図２】
2020146910.tif 000004
【図３】
2020146910.tif 000005
【図４】
2020146910.tif 000006